(57)【要約】【課題】ボトルの外観を損ねる事無く、ボトル同士がボトルのボディの部分で衝突や接触した場合であっても、ＩＣタグラベルの機能が損傷を受ける事が無いＩＣタグラベル付ボトルとＩＣタグラベルを提供することを課題とする。【解決手段】ボトルの開口部１２が備えられたトップ６と、トップに連接しトップと同等の太さを有するネック７と、ネックより太いボディ９と、トップとボディを滑らかな曲面で連接するショルダー８と、ボトルの底面部であるボトム１１と、を備えたボトルに、ＩＣタグラベル１が貼付されたボトルであって、ＩＣタグラベルの、ＩＣチップ２がボトルのショルダーに配置され、且つアンテナ３がボディに配置された状態で、ボトルに貼付されていることを特徴とするＩＣタグラベル付ボトル１０。【選択図】図１
2019163071.tif 000002
【特許請求の範囲】
【請求項１】
ボトルの開口部が備えられたトップと、トップに連接しトップと同等の太さを有するネックと、ネックより太いボディと、ネックとボディを滑らかな曲面で連接するショルダーと、ボトルの底面部であるボトムと、を備えたボトルに、ＩＣタグラベルが貼付されたボトルであって、
ＩＣタグラベルの、ＩＣチップがボトルのショルダーに配置され、且つアンテナがボディに配置された状態で、ボトルに貼付されていることを特徴とするＩＣタグラベル付ボトル。
【請求項２】
配線基板上にＩＣチップとアンテナが備えられたＩＣタグラベルにおいて、
ＩＣチップとアンテナが離間して備えられていることを特徴とするＩＣタグラベル。
【請求項３】
前記ＩＣチップと前記アンテナとを結ぶ方向に直交する方向の配線基板の幅が、アンテナが配置されている部位においてはアンテナの２倍以下の幅であり、それ以外の部位ではＩＣチップの幅以上で、アンテナが配置されている部位の幅の１／２以下であることを特徴とする請求項２に記載のＩＣタグラベル。
【発明の詳細な説明】
【技術分野】
【０００１】
本発明は、高級なワインなどのボトルに貼り付ける非接触ＩＣタグラベル（以後、ＩＣタグラベル）とそのＩＣタグラベルを貼り付けたボトルに関する。
【背景技術】
【０００２】
高級なワインなどの空きボトルを使用して安価な内容物を充填し、高級なワインなどとして販売する詐欺行為があとを絶たない。その様な詐欺行為を防止する対策として、ＩＣタグラベルを貼り付けることにより認証を行える様にし、正規品がどうかを判定することが行われている。
【０００３】
しかしながら、ボトルのボディにＩＣタグラベルを貼り付けた場合、製造工程や流通過程でボトル同士が衝突したり、擦れ合うことにより、ＩＣタグラベルが損傷を受け、機能しなくなる虞がある。
【０００４】
この様な問題点を解決する技術に最も近い先行技術としては、ボトルなどの被着体に接着する装着部と、ラベルを被着体に装着した時に被装着体から離れて突出しうる突出部と、を備えているＩＣタグ付きラベルが開示されている（特許文献１）。しかしながら、高級なワインなどのボトルとしては突出部が外観を損ねる虞がある。また、立体的な曲面にも良好に貼付可能な、シール片のほぼ中央に小孔が形成され、その小孔からシール片の周縁に達する切り込みが形成されたシールが開示されている（特許文献２）。しかしながら、この技術をＩＣタグラベルに適用した場合、ラベルに形成する切り込みを考慮してアンテナの配置を設計する必要があり、設計の自由度が低下する。
【先行技術文献】
【特許文献】
【０００５】
【特許文献１】特開２００６−３４９７号公報
【特許文献１】特開２０００−１８６２５５号公報
【発明の概要】
【発明が解決しようとする課題】
【０００６】
上記の事情に鑑み、本発明は、ボトルの外観を損ねる事無く、また、アンテナ設計の自由度が制限されること無く、ボトル同士がボトルのボディの部分で衝突や接触した場合であっても、ＩＣタグラベルの機能が損傷を受ける事が無いＩＣタグラベル付ボトルとＩＣタグラベルを提供することを課題とする。
【課題を解決するための手段】
【０００７】
上記の課題を解決する手段として、本発明の請求項１に記載の発明は、ボトルの開口部が備えられたトップと、トップに連接しトップと同等の太さを有するネックと、ネックより太いボディと、ネックとボディを滑らかな曲面で連接するショルダーと、ボトルの底面部であるボトムと、を備えたボトルに、ＩＣタグラベルが貼付されたボトルであって、
ＩＣタグラベルのＩＣチップが、ボトルのショルダーに配置され、且つアンテナがボディに配置された状態で、ボトルに貼付されていることを特徴とするＩＣタグラベル付ボトルである。
【０００８】
また、請求項２に記載の発明は、配線基板上にＩＣチップとアンテナが備えられたＩＣタグラベルにおいて、
ＩＣチップとアンテナが離間して備えられていることを特徴とするＩＣタグラベルであ
る。
【０００９】
また、請求項３に記載の発明は、前記ＩＣチップと前記アンテナとを結ぶ方向に直交する方向の配線基板の幅が、アンテナが配置されている部位においてはアンテナの２倍以下の幅であり、それ以外の部位ではＩＣチップの幅以上で、アンテナが配置されている部位の幅の１／２以下であることを特徴とする請求項２に記載のＩＣタグラベルである。
【発明の効果】
【００１０】
本発明のＩＣタグラベル付ボトルは、ＩＣタグラベルに備えられたＩＣチップがボトルのショルダーに配置されているため、製造工程や流通過程において、ボトルのボディが衝突したり、擦れ合う事態が生じてもＩＣチップが損傷を受ける事が無い。またアンテナがボトルのボディに配置されているため、安定したアンテナ特性を維持することができると共に、ボディに配置されていることでボトルの衝突による衝撃などを受けても単なる導体の配線パターンであるため損傷を受けることが無い。また、本発明のＩＣタグラベル付ボトルは、ボトルから突出した部分が無く、外観を損ねる虞が無い。また、ラベルに切り込みを形成しないため、アンテナ設計の自由度が制限されることが無い。以上から、本発明のＩＣタグラベル付ボトルは、ＩＣタグラベルの機能が損傷を受けることが無い。
【図面の簡単な説明】
【００１１】
【図１】本発明のＩＣタグラベル付ボトルを例示する説明図であって、（ａ）は全体像、（ｂ）はＩＣタグラベルの拡大断面図、を示している。
【図２】本発明のＩＣタグラベルの構成を例示する上面図である。
【発明を実施するための形態】
【００１２】
＜ＩＣタグ付ボトル＞
図１を用いて本発明のＩＣタグ付ボトルを説明する。
本発明のＩＣタグ付ボトル１０は、ボトルの開口部１２が備えられたトップ６と、トップ６に連接しトップ６と同等の太さを有するネック７と、ネック７より太いボディ９と、ネック７とボディ９を滑らかな曲面で連接するショルダー８と、ボトルの底面部であるボトム１１と、を備えたボトルに、ＩＣタグラベル１が貼付されたボトルである。
本発明のＩＣタグ付ボトル１０の特徴は、ＩＣタグラベル１の、ＩＣチップ２がボトルのショルダー８に配置され、且つアンテナ３がボディ８に配置された状態で、ボトルに貼付されていることである。
【００１３】
ＩＣタグラベル１のＩＣチップ２がボトルのショルダー８に配置されていることにより、ＩＣタグ付ボトル１０が製造工程や流通過程において、例えばボトルが起立した状態で、互いに擦れ合い、衝突することがあっても、ＩＣチップ２がボトルとボトルの間に挟まれる事が無い。なぜなら、ボトルのボディ９の部分で衝突したり、擦れ合うためである。ショルダー８は衝突したり、擦れ合う事がないため、ＩＣチップ２は損傷を受ける事がない。一方、アンテナ３は、ボディ８に配置されているため、ボトルとボトルの間に挟まれたり、またはボトル同士の衝突によって、衝撃を受ける。しかしながら、アンテナ３は単なる導体配線からなるものであるため、多少の衝撃や圧迫を受けても損傷を受けることが無く、アンテナとしての機能が損傷されることは無い。
【００１４】
（ボトル）
本発明のＩＣタグラベル付ボトル１０に使用するボトルは、特に限定されない。材質は、ガラス製のボトルであっても良いし、セラミックやプラスチックからなるボトルであっても良い。形状は、ボディ９に最も太い部分があり、その部分でボトル同士の衝突や擦れ合う。その他の、ネック７、ショルダー８、ボトム１１、はボディ９の最も太い部分より細く形成されていれば良い。一般的には、ボディ９は円柱形であるが、様々なバリエーションがあっても、上記の条件を満たしていれば、如何なる形状であっても構わない。
【００１５】
＜ＩＣタグラベル＞
図２を用いて本発明のＩＣタグラベル１について説明する。
本発明のＩＣタグラベル１は、配線基板４上にＩＣチップ２とアンテナ３が備えられたＩＣタグラベルである。アンテナ３は、一方の一対の端子がＩＣチップ２と電気的に接続されており、もう一方の一対の端子はジャンパー線５によって短絡されて閉回路を形成している。
本発明のＩＣタグラベル１の特徴は、ＩＣチップ２とアンテナ３が離間して備えられていることである。
【００１６】
ＩＣチップ２とアンテナ３が離間して備えられていることにより、本発明のＩＣタグラベル１をボトルに貼付する際に、ＩＣチップ２をボトルのショルダー８に、またアンテナ３をボディ９に配置する事が可能となる。
【００１７】
また、本発明のＩＣタグラベル１は、ＩＣチップ２とアンテナ３とを結ぶ方向に直交する方向の配線基板４の幅が、アンテナ３が配置されている部位においてはアンテナ３の２倍以下の幅であり、それ以外の部位ではＩＣチップ２の幅より広く、アンテナ３が配置されている部位の幅より狭いことを特徴としている。なお、ここで、ＩＣチップ２とアンテナ３とを結ぶ方向とは、ＩＣチップ２の幾何学的中心とアンテナ３の幾何中心を指す。ＩＣチップ２は通常、直方体であるため、配線基板４上のフットプリントの形状の幾何中心である。アンテナ３は、閉図形を形成していないため、ここでは、ＩＣチップ２からアンテナ３を見た場合の幅の中点と、幅方向と直交する方向の奥行きの中点で、それぞれ直交する直線の交点を指すことにする。
【００１８】
アンテナ３の特性は、アンテナ３が貼着される面が平面である場合と曲面である場合とでは、変化する。ボトルにアンテナ３を貼り付ける場合は、ショルダー８よりボディ９に貼り付ける方が単純な曲面であるため、特性の変化を見込み易い。そのためボディ９に貼り付けることで安定したアンテナ特性を確保することができる。また、ボディ９の曲面は円筒の側面であり単純な曲面であるため、ラベルを貼り付け易いが、ショルダー８においては、より複雑な曲面であるため、ラベルを貼り付け難くなると同時に、アンテナ３を貼り付ける位置を厳密に一定にする必要が出て来る。ショルダー８の曲面はネック７からボディ９に向う方向に変化する曲面であるため、その方向の一定の位置に貼り付けない場合は、アンテナ特性が変わってしまう。
【００１９】
一方、ＩＣチップ２が実装された配線基板４の部位からアンテナ３が配置されている配線基板４の部位に至る配線基板４の幅は、ＩＣチップ２そのものの幅より広く、アンテナ３が配置されている配線基板４の部位の幅より狭いことが必要である。
【００２０】
ＩＣチップ２が実装された配線基板４の部位の、ＩＣチップ２とアンテナ３とを結ぶ方向に直交する方向の幅をできるだけ狭くすることが好ましい。ＩＣチップ２の幅より狭くする事は、ＩＣチップ２が配線基板４に安定して実装されるために好ましく無い。また、アンテナ３が配置された部位の配線基板４の幅は、アンテナ３の幅の２倍以下であれば十分である。２倍を超えると、ボディ９に貼り付け難くなる。
以上の様に、ＩＣチップ２が実装された配線基板４の部位の配線基板４の幅をＩＣチップ２の幅以上にし、且つアンテナ３が配置された部位の配線基板４の幅より狭くすることが好ましい。更に好ましくは、ＩＣチップ２が実装された配線基板４の部位の配線基板４の幅が、アンテナ３が配置された部位の配線基板４の幅の１／２以下であることである。この様にすることで、ショルダー８の曲面においても良好に貼り付けることが可能となり、且つボディ９の部分においても良好に貼り付けることができる。
【００２１】
（配線基板）
フレキシブル配線基板と同等の物品であれば良い。フレキシブル配線基板の基材としては、ポリイミドフィルムをはじめ、ポリエチレンテレフタレートなどの絶縁性樹脂フィルムも使用可能である。このような絶縁性樹脂フィルム上に導電性材料からなる配線を形成したものが配線基板である。
【００２２】
例えば、絶縁性樹脂フィルムにアルミニウム箔や銅箔を貼り合せた材料を使用し、フォトリソグラフィ工程を通すことによって、配線を形成することができる。例えば、感光性レジストを塗布・乾燥後、所望の配線パターンを持つフォトマスクを用いて露光し、現像・エッチング・剥膜処理を行うことによって、所望の配線パターンを得ることができる。感光性レジストの代わりに非感光性レジストをスクリーン印刷し、エッチング・剥膜処理を行うことによっても、所望の配線パターンを得ることができる。
【００２３】
また、銅箔やアルミニウム箔を使用せずに、導電性インキをスクリーン印刷、グラビアオフセット印刷、反転オフセット印刷などの印刷技術を使用して印刷した後、乾燥・焼成処理を行うことによっても配線パターンを得ることができる。
【００２４】
この様にして作製した配線基板に、ＩＣチップを実装することができる。実装する方法としては、半田付け、低温半田を使用した半田付け、導電性接着剤、などによって実装することが可能である。
【００２５】
（ＩＣチップ）
ＩＣチップ２は、非接触ＩＣタグ用のＩＣチップであれば特に限定する必要は無い。通信距離やデータの記憶容量をどの程度にするか、などの使用に従って選定することができる。ベアチップ、チップサイズパッケージなどのＩＣチップを使用することで、ＩＣタグラベル１の厚さを最小限に抑えることができる。しかしながら、耐久性が求められる場合は、ＩＣチップ２を配線基板４上で樹脂モールドしたものでも構わない。
【００２６】
（アンテナ）
本発明のＩＣタグラベル１のアンテナ３は、アルミニウム箔、銅箔をフォトリソグラフィなどによってコイル状に形成したパターンであっても良いし、導電性インキを印刷することによって作製したコイル状パターンであっても構わない。求められるアンテナの共振回路におけるＱ値に従って、選択すれば良い。
また、本発明のＩＣタグラベル１は、ラベルに曲面への貼付を容易にする切り込みを形成していない。そのため、アンテナ３の引き回しの設計に制限を受ける事がなく、設計の自由度が高い。
【００２７】
（接着層）
本発明のＩＣタグラベル１には、ボトルに貼り付けるための接着層（図示省略）が使用されている。接着層としては、通常、粘着材が使用される。接着剤は、ある時間が経過すると液体から固体になるが、粘着材は液体のままである。そのため、粘着材は貼り付けた後、ゆっくりと引き剥がすことができ、ラベルなどに用いる接着層として適している。
【００２８】
本発明のＩＣタグラベル付ボトル１０とそれに使用するＩＣタグラベル１について説明した。
【００２９】
本発明のＩＣタグラベル付ボトル１０は、ＩＣチップ２が実装された配線基板４の部位がボトルのショルダー８に配置され、アンテナ３が形成された配線基板４の部位がボトルのボディ９に配置されていることを特徴としたＩＣタグラベル付ボトル１０である。ＩＣ
チップ２が実装された配線基板４の部位がボトルのショルダー８に配置される理由は、ボトルがワインなどの内容物を充填する工程や内容物を充填したボトルの流通工程において、例えば起立した状態でお互いに擦れ合ったり、衝突したりする。その際に、ＩＣチップ２がボトルのボディ９に配置されていると、損傷を受ける可能性がある。その様な可能性を排除するために、ＩＣチップ２は、ボトルが起立した状態でお互いに擦れ合ったり、衝突したりする可能性が無い位置に配置されていることが必要となる。その様な条件を満たすのは、ボディ９以外の位置にＩＣチップ２が配置されていることである。その様な条件を満たす位置は、ボトルのネック７とショルダー８およびボトム１１である。ネック７とショルダー８を比較すると、ボディ９からの距離はネック７の方が長くなるため、ＩＣタグラベル１として、より長い形状が必要となるため、製造コスト面で不利となる。
【００３０】
また、ＩＣチップ２は、ボトム１１に窪みがある場合は、そこに配置されていても、損傷を受ける可能性はボディ９に配置されている場合より低いと思われる。しかしながら、アンテナ３の位置は、ボディ９のショルダー８に近い部位が、通信をいつも良好に実施可能とするには適している。
【００３１】
本発明のＩＣタグラベル１は、本発明のＩＣタグラベル付ボトル１０のボディ９にアンテナ３を配置し、且つショルダー８にＩＣチップ２を配置し、貼付可能なＩＣタグラベルである。良好に貼付可能とするため、ＩＣタグラベル１の配線基板４の、ＩＣチップ２とアンテナ３を結ぶ方向と直交する方向の幅が、アンテナ３が配置されている部位においてはアンテナ３の２倍以下の幅であり、それ以外の部位ではＩＣチップ２の幅以上で、アンテナ３が配置されている部位の幅の１／２以下であることが特徴である。この様にすることで、ラベルへの切り込みの形成が不要であっても曲面への貼付が容易になる。また容易にアンテナ３が配置されているＩＣタグラベル１の部位をボトルのボディ９に貼付可能となり、また曲面がボディ９より複雑に変化するショルダー８においても幅が狭いため平面に貼付するのに近い状態となり、ＩＣチップ２が配置されているＩＣタグラベル１の部位をショルダー８に容易に貼付可能である。
【符号の説明】
【００３２】
１・・・ＩＣタグラベル
２・・・ＩＣチップ
３・・・アンテナ
４・・・配線基板
５・・・ジャンパー線
６・・・トップ
７・・・ネック
８・・・ショルダー
９・・・ボディ
１０・・・ＩＣタグラベル付ボトル
１１・・・ボトム
１２・・・開口部
【図１】
2019163071.tif 000003
【図２】
2019163071.tif 000004